(57)【要約】【課題】車両が走行中に得た情報を、他の車両との間で効率良く共有する。【解決手段】車車間通信によって交通情報を交換する車両であって、滞留エリアが定義された地図情報を記憶する地図情報記憶手段と、交差点間の交通情報を計測する計測手段と、他の車両から送信される交通情報を受信する受信手段と、計測手段および受信手段によって得られた交通情報を蓄積する蓄積手段と、自車両が滞留エリア内に停止しているか否かを判定する判定手段と、蓄積手段に蓄積されている交通情報を送信する送信手段であって、判定手段によって自車両が滞留エリア内に停止していると判定されている場合は、そうでない場合に比べて、当該滞留エリアに含まれる交差点を起点または終点とする交差点間の交通情報の送信頻度を高くして送信する送信手段と、を備える。【選択図】図１２
2012146034.tif 000002
【特許請求の範囲】
【請求項１】
他の車両との間で車車間通信によって交通情報を交換する車両であって、
交差点を含む所定の領域である滞留エリアが定義された地図情報を記憶する地図情報記憶手段と、
交差点間の交通情報を計測する計測手段と、
他の車両から送信される交通情報を受信する受信手段と、
計測手段および受信手段によって得られた交通情報を蓄積する蓄積手段と、
自車両が滞留エリア内に停止しているか否かを判定する判定手段と、
蓄積手段に蓄積されている交通情報を送信する送信手段であって、判定手段によって自車両が滞留エリア内に停止していると判定されている場合は、そうでない場合に比べて、当該滞留エリアに含まれる交差点を起点または終点とする交差点間の交通情報の送信頻度を高くして送信する送信手段と、
を備える、車両。
【請求項２】
前記地図情報記憶手段内の地図情報には交差点内部の領域である交差点エリアも定義されており、
前記計測手段は、第１の交差点と第２の交差点の間の交通情報を、第１の交差点の交差点エリアを退出した時点から、第２の交差点の交差点エリアを退出した時点までを計測期間として計測する、
請求項１に記載の車両。
【請求項３】
前記計測手段は、第１の交差点と第２の交差点の間の交通情報を、第１の交差点の滞留エリアを退出した時点から、第２の交差点の滞留エリアに進入した時点までを計測期間として計測する、
請求項１に記載の車両。
【請求項４】
前記送信手段は、交通情報を送信する際に、自車両の位置、交通情報の起点交差点の位置、および交通情報の終点交差点の位置を送信するものであり、自車両の位置は絶対座標で送信し、起点交差点および終点交差点の位置は相対座標で送信する、
請求項１〜３のいずれかに記載の車両。
【請求項５】
前記送信手段は、終点交差点が共通する複数の交通情報をまとめて送信し、１つのみの終点交差点の位置と、各交通情報に対応した起点交差点の位置を送信する、
請求項４に記載の車両。
【請求項６】
前記送信手段は、起点交差点が共通する複数の交通情報をまとめて送信し、１つのみの起点交差点の位置と、各交通情報に対応した終点交差点の位置を送信する、
請求項４に記載の車両。
【請求項７】
複数の車両の間で車車間通信によって交通情報を交換するプローブカーシステムあって、
各車両が、
交差点を含む所定の領域である滞留エリアが定義された地図情報を記憶する地図情報記憶手段と、
交差点間の交通情報を計測する計測手段と、
他の車両から送信される交通情報を受信する受信手段と、
計測手段および受信手段によって得られた交通情報を蓄積する蓄積手段と、
自車両が滞留エリア内に停止しているか否かを判定する判定手段と、
蓄積手段に蓄積されている交通情報を送信する送信手段であって、判定手段によって自
車両が滞留エリア内に停止していると判定されている場合は、そうでない場合に比べて、当該滞留エリアに含まれる交差点を起点または終点とする交差点間の交通情報の送信頻度を高くして送信する送信手段と、
を備える、プローブカーシステム。
【請求項８】
複数の車両の間で車車間通信によって交通情報を交換するプローブカーシステムにおける交通情報共有方法であって、
交差点を含む所定の領域である滞留エリアが定義された地図情報を記憶した各車両が、
交差点間の交通情報を計測する計測ステップと、
他の車両から送信される交通情報を受信する受信ステップと、
計測ステップおよび受信ステップにおいて得られた交通情報を蓄積する蓄積ステップと、
自車両が滞留エリア内に停止しているか否かを判定する判定ステップと、
蓄積された交通情報を送信する送信ステップであって、判定ステップによって自車両が滞留エリア内に停止していると判定されている場合は、そうでない場合に比べて、当該滞留エリアに含まれる交差点を起点または終点とする交差点間の交通情報の送信頻度を高くして送信する送信ステップと、
を実行する、交通情報共有方法。
【請求項９】
前記地図情報には交差点内部の領域である交差点エリアも定義されており、
前記計測ステップでは、第１の交差点と第２の交差点の間の交通情報を、第１の交差点の交差点エリアを退出した時点から、第２の交差点の交差点エリアを退出した時点までを計測期間として計測する、
請求項８に記載の交通情報共有方法。
【請求項１０】
前記計測ステップでは、第１の交差点と第２の交差点の間の交通情報を、第１の交差点の滞留エリアを退出した時点から、第２の交差点の滞留エリアに進入した時点までを計測期間として計測する、
請求項８に記載の交通情報共有方法。
【請求項１１】
前記送信ステップでは、交通情報を送信する際に、自車両の位置、交通情報の起点交差点の位置、および交通情報の終点交差点の位置を送信するものであり、自車両の位置は絶対座標で送信し、起点交差点および終点交差点の位置は相対座標で送信する、
請求項８〜１０のいずれかに記載の交通情報共有方法。
【請求項１２】
前記送信ステップでは、終点交差点が共通する複数の交通情報をまとめて送信し、１つのみの終点交差点の位置と、各交通情報に対応した起点交差点の位置を送信する、
請求項１１に記載の交通情報共有方法。
【請求項１３】
前記送信ステップでは、起点交差点が共通する複数の交通情報をまとめて送信し、１つのみの起点交差点の位置と、各交通情報に対応した終点交差点の位置を送信する、
請求項１１に記載の交通情報共有方法。
【発明の詳細な説明】
【技術分野】
【０００１】
本発明は、車両から得られる情報を効率的に集約・蓄積し、車両間で効率的に共有するための技術に関する。
【背景技術】
【０００２】
従来、車両から得られる情報をセルラー通信によって交通情報センターに集約し、集約された情報を基に交通情報センターが渋滞情報などを作成し配信するリアルタイム交通情報システムが普及しつつある。このシステムは交通情報センターを用いているので、センター型プローブカーシステムとも呼ばれる。
【０００３】
センター型プローブカーシステムでは各車両からの情報をセンターに集約するため、セルラー通信費用や、負荷集中に耐えるためのサーバー費用の増大が問題となる。ここで、ローカルな交通情報は必ずしも一つのセンターに一元的に集約する必要はなく、ローカルに分散して配置すれば十分である。交通情報をローカルに収集するためには、狭い範囲を対象とする路側機に情報を集約すればよい。しかしながら、この方式でサービス提供範囲を広くするためには路側機を多数設置しなければならず、設置費用が増大する。
【０００４】
このような観点から、センターを廃し、車車間通信を用いて情報を伝達するセンターレスプローブカーシステムの開発が進められている。
【先行技術文献】
【特許文献】
【０００５】
【特許文献１】米国特許出願公開第２００６／０２２１８９１号明細書
【非特許文献】
【０００６】
【非特許文献１】佐藤雅明  他、「実車両を用いたセンタレスプローブ情報システムによる道路交通情報生成アルゴリズムの提案と評価」、情報処理学会論文誌、社団法人情報処理学会、平成２０年１月１５日、第４９巻、第１号、ｐ．２５３−２６４
【発明の概要】
【発明が解決しようとする課題】
【０００７】
従来のセンターレスプローブカーシステムでは、車両同士がすれ違うときに、自車両が取得した交通情報（一次情報）を車車間通信により交換する。また、一次情報だけでなく、これまで交換により他の車両から取得してきた交通情報（二次情報）も交換する。しかしながら、対向車両が計測した交通情報（一次情報）は対向車線に関する情報であるため役に立たない。また、二次情報には同一車線に関する情報が含まれるものの、走行予定経路の情報を積極的に入手するための仕組みがない。
【０００８】
本発明は、車両が走行中に得た情報を、他の車両との間で効率良く共有することを目的とする。
【課題を解決するための手段】
【０００９】
上記の目的を達成するために、本発明では、車両が取得した交差点リンク間の交通情報を、リンクの終点交差点または起点交差点に集約させる。各車両は自車両が有する交通情報を定期的に周囲に通知するが、交差点に停止している車両はその交差点に関する交通情報を優先的に送信する。これにより、交差点に停止している車両が路側機の代わりを果たし、交差点を通過する車両はその交差点に集約された情報を取得することができる。
【００１０】
本発明の一態様にかかる車両は、
他の車両との間で車車間通信によって交通情報を交換する車両であって、
交差点を含む所定の領域である滞留エリアが定義された地図情報を記憶する地図情報記憶手段と、
交差点間の交通情報を計測する計測手段と、
他の車両から送信される交通情報を受信する受信手段と、
計測手段および受信手段によって得られた交通情報を蓄積する蓄積手段と、
自車両が滞留エリア内に停止しているか否かを判定する判定手段と、
蓄積手段に蓄積されている交通情報を送信する送信手段であって、判定手段によって自車両が滞留エリア内に停止していると判定されている場合は、そうでない場合に比べて、当該滞留エリアに含まれる交差点を起点または終点とする交差点間の交通情報の送信頻度を高くして送信する送信手段と、
を備える。
【００１１】
このように蓄積手段に蓄積されている交通情報が送信されることで、各車両が取得（計測および受信）した交通情報が、周囲の車両に伝播する。そして、滞留エリア内に停止しているときにその滞留エリアに含まれる交差点を起点または終点とする交差点間の交通情報の送信頻度が高く設定されることで、この滞留エリア付近にこの交通情報を蓄積している車両が多くなる。すなわち、この交通情報は交差点に集約・滞留されることになる。交通情報が交差点に集約されれば、各車両は走行経路についての交通情報をより確実に入手し、対向車両に通知することができる。つまり、対向車両はこれから走行する経路に関する交通情報を入手できる確率がより高くなる。
【００１２】
本発明において、前記地図情報記憶手段内の地図情報には交差点内部の領域である交差点エリアも定義されており、
前記計測手段は、第１の交差点と第２の交差点の間の交通情報を、第１の交差点の交差点エリアを退出した時点から、第２の交差点の交差点エリアを退出した時点までを計測期間として計測する、ことも好ましい。なお、交差点間の情報を連続して計測する場合には、ある交差点の交差点エリアから退出したときにそれまでの計測を終了して、新たな計測を即座に開始することが好ましい。
【００１３】
このように、起点交差点の交差点エリアから退出してから終点交差点の交差点エリアを退出するまでが交差点間の交通情報の計測期間となるため、交差点内部に位置する期間も計測期間に含まれる。すなわち、交通情報に交差点内部の情報、例えば、信号による影響や交差点内部の交通状況が反映されることになる。
【００１４】
また、本発明において、前記計測手段は、第１の交差点と第２の交差点の間の交通情報を、第１の交差点の滞留エリアを退出した時点から、第２の交差点の滞留エリアに進入した時点までを計測期間として計測する、ことも好ましい。
【００１５】
この場合は地図情報に定義する必要がある情報は滞留エリアだけなので実装が簡易になるという利点がある。
【００１６】
また、本発明において、前記送信手段は、交通情報を送信する際に、自車両の位置、交通情報の起点交差点の位置、および交通情報の終点交差点の位置を送信するものであり、自車両の位置は絶対座標で送信し、起点交差点および終点交差点の位置は相対座標で送信する、ことが好ましい。ここで、起点交差点と終点交差点の両方を、自車両の位置からの相対座標で表しても良い。あるいは、終点交差点を自車両の位置からの相対座標で表し、起点交差点を終点交差点の位置からの相対座標で表しても良い。また、この逆としても良
い。
【００１７】
位置情報を絶対座標で送信する場合は必要な通信量が多くなるが、相対座標を利用する場合は必要な通信量を削減することができる。削減可能な通信量は情報をどの程度の範囲で共有するかによる。交通情報を共有する範囲を小さくするほど必要な通信量が小さくなる。
【００１８】
また、本発明において、前記送信手段は、終点交差点が共通する複数の交通情報をまとめて送信し、１つのみの終点交差点の位置と、各交通情報に対応した起点交差点の位置を送信する、ことも好ましい。あるいは、前記送信手段は、起点交差点が共通する複数の交通情報をまとめて送信し、１つのみの起点交差点の位置と、各交通情報に対応した終点交差点の位置を送信する、ことも好ましい。
【００１９】
ｎ個の交差点間の交通情報を送信する場合、それぞれ起点交差点と終点交差点の位置情報を含めると２ｎ個の位置情報が必要となるが、終点または起点が共通する複数の交差点間の交通情報をまとめて送信することで、１つの終点（起点）の位置情報とｎ個の起点（終点）の位置情報、合わせてｎ＋１個の位置情報のみを送ればよいので通信量を削減することができる。
【００２０】
本発明は、上記手段の少なくとも一部を含む車両（プローブカー）として捉えることができる。また、本発明は、これらの車両が複数組み合わせて構成されるプローブカーシステムとして捉えることができる。また、これらの処理を行う交通情報共有方法、さらには、これらの方法を実現するためのプログラムとして捉えることもできる。上記手段および処理の各々は可能な限り互いに組み合わせて本発明を構成することができる。
【発明の効果】
【００２１】
本発明によれば、車両が走行中に得た情報を、他の車両との間で効率良く共有することが可能となる。
【図面の簡単な説明】
【００２２】
【図１】本実施形態にかかるプローブカーシステムの概要を示す図である。
【図２】交通情報が計測されるリンク(白矢印)と、その交通情報が集約されるべき交差点(黒丸)とを示す図である。
【図３】車両の機能構成ブロックを示す図である。
【図４】計測境界エリア（交差点エリア）を示す図である。
【図５】交通情報蓄積部のデータフォーマットを説明する図である。
【図６】滞留エリアを説明する図である。
【図７】送信パケットのフォーマットを説明する図である。
【図８】位置情報を相対表現で表す方法を説明する図である。
【図９】交通情報蓄積部に格納される交通情報から、送信パケットを生成する方法を説明する図である。
【図１０】受信したパケットから、交通情報に格納する交通情報を生成する方法を説明する図である。
【図１１】第１の実施形態にかかる車両の状態遷移図である。
【図１２】第１の実施形態にかかる車両の処理動作を示すフローチャートである。
【図１３】第１の実施形態にかかる車両の処理動作を示すフローチャートである。
【図１４】本実施形態にかかるプローブカーシステムの動作例を説明する図である。
【図１５】本実施形態にかかるプローブカーシステムの動作例を説明する図である。
【図１６】第２の実施形態にかかる車両の状態遷移図である。
【図１７】第２の実施形態にかかる車両の処理動作を示すフローチャートである。
【図１８】第２の実施形態にかかる車両の処理動作を示すフローチャートである。
【図１９】送信パケットフォーマットの変形例を説明する図である。
【発明を実施するための形態】
【００２３】
（第１の実施形態）
［システム概要］
本実施形態に係るプローブシステムの概要を、図１を参照して説明する。本実施形態においては、プローブカーは交差点間の交通情報を取得し、車車間通信によって周囲の車両に通知する。後述する情報送信アルゴリズムによって、交差点間の交通情報が車両間でやりとりされて、終点となる交差点に集まるようにする。例えば、交差点Ａから交差点Ｂまでの間の交通情報が交差点Ｂに集まるようにする。これにより、車両は、交差点を通過する際に、その交差点を終点する交通情報を得ることができる。図１に示される点線の円は、交差点に交通情報が集約されることを示している。
【００２４】
このように交差点に交通情報が集約されているときに、車両１０１と車両１０２がリンクＥＨにおいてすれ違う状況を考える。車両１０１は交差点Ａ，Ｂ，Ｅを通過してきているので、交差点Ａ，Ｂ，Ｅを終点とする交通情報を得ることができる。つまり、車両１０１は、例えば、リンクＢＡ，ＥＢ，ＨＥに関する交通情報を入手できる（リンクＡＢは交差点Ａから交差点Ｂへ向かうリンクを意味し、リンクＡＢとリンクＢＡは逆方向（反対車線）を表す）。同様に、車両１０２は、交差点Ｍ，Ｊ，Ｈを通過してきているので、例えば、リンクＪＭ，ＨＪ，ＥＨに関する交通情報を入手できる。そして、車両１０１と車両１０２がすれ違うときに、これらの交通情報を相手の車両に送信する。つまり、各車両は、走行経路の反対車線についての交通情報を、対向車に通知する。情報を受け取る車両の観点からは、車両がこれから走行する（可能性のある）リンクについての、走行方向の車線に関する情報を得ることができる。なお、車両１０１は交差点Ａ，Ｂ，Ｅを通過しているので、上記以外にも、リンクＤＡ，ＡＢ，ＣＢ，ＤＥ，ＦＥなどの交通情報も入手できる。同様に、車両１０２は交差点Ｍ，Ｊ，Ｈを通過しているので、上記以外にも、リンクＬＭ，ＦＪ，ＭＪ，ＧＨ，ＬＨの交通情報を入手できる。したがって、これらの情報も同様に対向車に通知しても良い。
【００２５】
交通情報は、２つの交差点間における交通に関する情報であり、たとえば、走行所要時間、走行速度、車間距離、車両密度、断面交通量、混雑レベルなどが含まれる。どのような情報を取得するかは本発明においては本質的な事項ではなく、任意の情報を取得して良い。以下の説明では、交差点間の平均速度を例に説明する。リンク間の平均速度が分かると、そのリンクの混雑度合いが判断でき、例えば混雑度合い（渋滞）を考慮した経路探索などに役立てることができる。もちろん、平均速度以外の情報（複数であっても良い）を取得しても良いし、取得・交換した情報を経路探索以外の目的に用いてもかまわない。
【００２６】
交通情報が集約される位置も種々の設計が可能である。図２に、交通情報と、その情報が集約される交差点との関係を示した。図２中、白矢印は交通情報が計測されるリンクを表し、黒丸はその交通情報が集約される交差点を表す。図２Ａは、リンクＡＢの情報を、終点の交差点Ｂで集約する例である。図２Ｂは、リンクＡＢの情報を、起点の交差点Ａで集約する例である。図２Ｃは、リンクＡＢの情報を、起点と終点の両方（交差点Ａと交差点Ｂ）で集約する例である。なお、図２Ａ〜図２Ｃの例において、リンクＡＢ間に別の交差点があっても構わない点に留意されたい。なお、本明細書では、「交差点Ｐに集約される（べき）交通情報」の意味で、「交差点Ｐの交通情報」という表現を採用する。以下の説明では、交差点間の情報はリンクの終点となる交差点に集約される場合を例に説明する。従って、以下では特に断りのない限り「交差点Ｐの交通情報」は交差点Ｐを終点とするリンクの交通情報を意味する。
【００２７】
［構成］
図３は、本実施形態における車両の機能ブロック図である。車両は、大略、プローブカーシステムＥＣＵ２００、車車間通信装置２０７、および各種センサ類から構成される。
【００２８】
車車間通信装置２０７は通信部２０８によって周囲の車両と車車間通信を行う。車車間通信の通信方式は任意のものを採用可能である。採用可能な通信方式の一例は、５．８ＧＨｚや７００ＭＨｚ帯の電波を用いて、タイミング同期式ＣＳＭＡ方式によって定期的に送信する方式（送信周期は１００〜１２００ミリ秒程度であり一定である必要はない）である。
【００２９】
プローブカーシステムＥＣＵ（以下、単にＥＣＵとも表記する）２００は、ＣＰＵなどの演算装置、ＲＡＭやＲＯＭなどの記憶装置から構成される。ＣＰＵがプログラムを実行することで、ＥＣＵ２００は、地図情報記憶部２０１、交通情報取得部２０２、蓄積情報更新部２０３、交通情報蓄積部２０４、車両状態判定部２０５、送信情報選択部２０６として機能する。なお、これら機能部の一部または全部は、専用のハードウェア回路によって実現されても構わない。
【００３０】
〈地図情報〉
地図情報２０１には、交差点（ノード）の中心位置やノード同士の接続関係（リンク）などが格納されている。本実施形態においては、道路上に２種類のエリアが定義される。一つは、交差点の情報が滞留すべきエリアを表す「滞留エリア」である（図６）。これは、交差点中心から所定の距離以内の範囲として定義することができる。もう一つは、交通情報を計測する区間を定義するためのエリアであり、ここでは「計測境界エリア」と称する（請求項中の交差点エリアに相当）。図４Ａに示すように、計測境界エリアは、交差点の中心３１を含む交差点の内部であり、交差点に接続する道路に対する辺を有する多角形３２として定義される。なお、図４Ａは四叉路の例であるが、三叉路や五叉路など任意の交差点においても計測境界エリアは同様に定義される。計測境界エリアは、地図情報記憶部に合わせて記録される。
【００３１】
〈交通情報取得部〉
交通情報取得部２０２は、交通情報計測部２０２ａと交通情報受信部２０２ｂを有し、２通りの方法によって交通情報を取得する。第１の方法は、交通情報計測部２０２ａが、自車両に備えられたセンサから交通情報を計測する方法である。第２の方法は、交通情報受信部２０２ｂが、車車間通信装置２０７によって他の車両から送信される交通情報を受信する方法である。
【００３２】
・交通情報計測部
交通情報計測部２０２ａは、交差点を通過するたびに交差点間の交通情報を取得する。具体的には、図４Ｂに示すように、交差点ＡＢ間の交通情報を、交差点Ａの計測境界エリア３４を退出した時点から、交差点Ｂの計測境界エリア３５を退出した時点までの期間で計測する。図４Ｂでは、交差点Ａの計測境界エリア３３を退出した位置ａで計測が開始され、交差点Ｂをどのように通過（左折・直進・右折）するかに応じて、交差点Ｂの計測境界エリア３４を退出する点ｂ１，ｂ２，ｂ３で計測が終了する。なお、交差点Ｂを退出した時点で、交差点ＡＢ間の交通情報の計測は終了するが、次の交差点までの間の交通情報の計測は即座に開始される。
【００３３】
交通情報の計測は、取得する情報に応じた適切なセンサ類によって行えばよい。本実施形態では、交差点間リンクにおける平均速度を交通情報として計測するので、交差点間の旅行時間（移動時間）を計測し、交差点間距離を旅行時間で割って計測結果を得る。交差点間の距離については、交差点の中心位置間の距離を利用すればよい。他の交通情報を取
得する場合は、適切なセンサから情報を取得すればいいことは当業者に明らかであろう。
【００３４】
・交通情報受信部
交通情報受信部２０２ｂは、周囲の車両から送信される交通情報を、車車間通信装置２０７によって受信する。
【００３５】
〈蓄積情報更新部〉
後述するように、車両内（交通情報蓄積部２０４）に記憶するデータフォーマットは絶対座標で表され、また所定の精度に丸められて記憶される。蓄積情報更新部２０３は、データのフォーマット変換や所定精度で丸める処理などを行う。交通情報計測部２０２ａが計測する情報は比較的精度良く計測できるが、交通情報蓄積部２０４では精度を落として記憶するため、蓄積情報更新部２０３が精度を丸める処理を行う。また、交通情報受信部２０２ｂが受信する交通情報では、位置情報に相対座標が用いられるので、交通情報蓄積部２０４に格納する際に蓄積情報更新部２０３がデータフォーマットの変換を行う。
【００３６】
蓄積情報更新部２０３は、また、明らかに異常な交通情報を取得した場合は交通情報蓄積部２０４を更新しないで、交通情報を破棄する。破棄する条件として、差分が大きすぎる（所定の閾値以上）場合や、異なりが続いていない（所定の回数以内）などが挙げられる。
【００３７】
〈交通情報蓄積部〉
交通情報蓄積部２０４には、自車両が計測した交通情報や、他の車両から受信した交通情報が蓄積（記憶）される。蓄積情報更新部２０３は、交通情報取得部２０２が得た交通情報によって、交通情報蓄積部２０４内の情報を更新する。
【００３８】
図５は交通情報蓄積部２０４に格納される交通情報のデータフォーマットを示す。なお、図中における括弧内の数字はデータのビット数を表す。交通情報蓄積部２０４には、起点位置４１、終点位置４２のペアごとに、登録情報４３が複数個格納される。起点位置４１は、交差点リンクの起点交差点の位置を、絶対座標として表した緯度・経度情報である。ここでは緯度・経度をそれぞれ１／１０秒（緯度３５度において約３メートル）精度で表わす。終点位置４２は、交差点リンクの終点交差点の位置であり、上記と同様である。３メートルの精度があれば、道路における各車線を識別できると期待できる。
【００３９】
登録情報４３は、生成時刻４４，平均速度４５、初回登録時刻４６、前回送受信時刻４７を含む。生成時刻４４は、この交通情報を実際に計測した時刻を表す。生成時刻４４は、１５秒精度の絶対時刻で表す。平均速度４５は、交差点リンク間での平均速度であり２ｋｍ／ｈ精度で０〜６４ｋｍ／ｈの範囲で表す。なお、６４ｋｍ／ｈ以上の場合は全て６４ｋｍ／ｈとして記録することとする。平均速度４５が交差点リンク間で実際に計測される交通情報である。初回登録時刻４６は、この登録情報が交通情報蓄積部２０４に初めて登録された時刻を表す。本システムにおいては、同じ交通情報が複数回配信されるため、最初に取得した時刻を記憶しておくことが有用である。なお、登録情報の同一性は、起点位置・終点位置・生成時刻・平均速度の同一性で判断する。前回送受信時刻４７は、この登録情報を送信又は受信した直近時刻を表す。以上のような登録情報は、起点位置４１，終点位置４２ごとに複数登録される。
【００４０】
〈車両状態判定部〉
車両状態判定部２０５は、自車両が滞留エリア内に停止しているか否かを判定する。滞留エリアは、図６に示すように、交差点中心から所定の距離以内の範囲として定義されるエリアである。図６Ａでは、交差点Ａに対して滞留エリア６１、交差点Ｂに対して滞留エリア６２が定義されている。車両状態判定部２０５は、ＧＰＳ装置２０９から自車の位置
と、車速センサ２１３から車速とを取得し、車速がゼロであり、かつ、自車位置が滞留エリアに属するか否かを判定する。
【００４１】
上記のように、滞留エリア内に属するか否かの判定は、位置情報取得手段（ＧＰＳ装置）から得られる位置情報と、車速情報取得手段（車速センサ）から得られる車速情報と、地図情報から判定することが典型的である。しかしながら、その他の手法によって自車両が滞留エリアに属するか否かを判定しても良い。例えば、前方方向を一定間隔（例えば１/６０秒毎）で撮影する車載カメラを車両が備えており、この車載カメラによって車両の
走行・停止と停止位置を判定しても良い。たとえば、撮影されるカメラ画像が変化しない場合を停止と判定することができる。また、カメラ画像において停止線や赤信号などを検知した場合を、交差点内に位置していると判定することができる。このように車載カメラを用いても滞留エリア内での停止を判定することができる。なお、走行・停止の判断は車載カメラではなくレーダでも代用が可能である。また、車載カメラとＧＰＳ装置や車速センサ等を適宜組み合わせて、滞留エリア内に属するか否かを判定しても良い。
【００４２】
なお、図６Ｂに示すように、滞留エリアは重複することが考えられる。車両が重複する滞留エリア内に位置する場合に、どの滞留エリアに属すると判断するかはいくつかの手法が考えられる。
【００４３】
第１の方法として、ある滞留エリアに進入したら、そのエリアを退出するまでは（重複する別の滞留エリアに進入したとしても）同じ滞留エリアに属するものと判断することが考えられる。本実施形態ではこの判断手法を採用する。
【００４４】
第２の方法として、ある滞留エリアに進入した時点で、所属する滞留エリアを変更する手法が考えられる。
【００４５】
第３の方法として、複数の滞留エリアが重複するエリアに位置する場合は、両方の滞留エリアに属すると判断する手法が考えられる。
【００４６】
〈送信情報選択部〉
・送信情報選択アルゴリズム
ＥＣＵ２０１は、交通情報蓄積部２０４内に格納された交通情報を車車間通信によって周囲にブロードキャスト送信する。送信情報選択部２０６は、交通情報蓄積部２０４に格納されている交通情報のうちどの情報を送信するかを選択する。送信する交通情報の選択は、種々のアルゴリズムにしたがって行うことが可能である。ただし、車両が滞留エリアに停止しているか否かによって、送信する交通情報の選択アルゴリズムに変化を付ける。
【００４７】
ここでは、まず車両が滞留エリアに停止していない場合の選択アルゴリズムについて説明する。もっとも単純な選択アルゴリズムとして、交通情報蓄積部２０４に格納されている交通情報をランダムに選択して送信する手法が考えられる。
【００４８】
より複雑なアルゴリズムとして、以下に示すような基準にしたがって送信する交通情報を選択する手法も考えられる。なお、以下の基準は複数組み合わせて利用することもできる。
・情報生成時刻（例：新しい情報ほど優先）
・情報生成場所（例：遠いほど優先、走行方向に対して後方の情報ほど優先）
・走行方向（例：対向方向の情報ほど優先）
・他の車両から傍受した時刻（例：長い間傍受していない情報ほど優先）
・前回送信した時刻（例：長い間送信していない情報ほど優先）
・情報内容（例：平均速度が遅い情報ほど優先）
・情報数（例：終点位置に接続する起点位置が多く存在するほど優先）
【００４９】
このような送信情報選択アルゴリズムにより、走行中に取得した交通情報を他の車両に伝播することが可能となる。なお、上記の説明では新しいほど優先したり遠いほど優先したりする例を記載しているが、上記要素にしたがって優先順位を単調に変化させる必要はなく、情報生成時刻や情報生成場所などの要素が特定の範囲内にあるときに優先順位が最大（極大）となるようなアルゴリズムとしてもかまわない。
【００５０】
上記の選択アルゴリズムに加えて、交差点を通過するとき（計測境界エリアから退出するとき）に、その交差点を終点とする交通情報を少なくとも１回送信することも好ましい。こうすることにより、交差点に停止している車両が、その交差点を終点とする交通情報を保持する確率が高まる。すなわち、交通情報が終点交差点で保持される確率が高まる。
【００５１】
次に、車両が滞留エリア内に停止している場合の選択アルゴリズムについて説明する。この場合は、滞留エリア内に含まれる交差点を終点とする交通情報の送信頻度を高める。どの程度頻度を高めるかは設計にもよるが、例えば、Ｎ秒ごと（例えばＮは１〜５秒）に、登録情報として保持している当該交差点を終点とする情報を全て少なくとも１回送信することが考えられる。
【００５２】
・送信パケットフォーマット
交通情報を周囲の車両にブロードキャスト送信する際の送信パケットのフォーマットについて説明する。本実施形態では、１つのパケットの中に、終点交差点が共通する複数のリンクに関する交通情報をまとめて送信する。また、交差点位置を相対座標によって表す。これら２つの工夫によって、送信パケットのサイズを小さくして限られて通信機会を有効に利用した効率的な交通情報の交換を実現する。
【００５３】
送信パケットの例を図７に示す。ここではＡＳＶ−４で検討されているデータフォーマットに準拠した形式を採用する。ＡＳＶ−４検討では、図７に示すようにパケットのデータ構造が定められており、この中に送信元の位置７１と、任意に使用できる領域７２とが存在する。送信元の位置７１には、自車両の現在位置が絶対座標（緯度・経度情報）として格納される。それ以外の情報については、任意に使用できる領域７２に格納する。ここで、この領域７２は１６０ビットしか用意されていないためデータ量を削減することが重要となる。
【００５４】
領域７２には、終点位置７３，伝達情報数７４，伝達情報数７４に示される数の伝達情報７５が含まれる。終点位置７３は、自車両の現在位置７１からの相対座標として表される。ここでは、自車両位置から緯度経度で１５分（緯度３５度で約１２ｋｍ）以内の情報のみを扱い、かつ移動経度で１／１０秒（緯度３５度で約３ｍ）の精度とすることで、データ容量を２６ビットとすることができる。伝達情報数７４には、このパケットにいくつのリンクについての交通情報が含まれるかが格納される。本実施形態では、最大４つの情報を１つのパケットに格納して送信することができる。伝達情報７５は伝達情報数７４の数だけパケット内に作成され、それぞれが、経過時間７５ａ、起点位置７５ｂ、平均速度７５ｃのフィールドを有する。経過時間７５ａには、その交通情報が計測（生成）されてからの時間が１５秒精度で格納される。ここでは直近１５分間以内に生成された情報だけを送信することにすると、経過時間７５ａは６ビットとなる。起点位置７５ｂは、その交通情報の始点交差点の位置を表す。始点交差点の位置は、終点交差点からの相対座標として表される。始点交差点も終点交差点と同様に１／１０秒精度である。平均速度７５ｃは計測された交通情報の内容である。
【００５５】
・送信パケット生成手順
図８は、上記の相対座標による交通情報の表現を説明するための図である。また、図９は送信パケットを作成する手順を説明するための図である。ここでは、起点交差点Ｓと終点交差点Ｄの間の交通情報を、送信点Ａに位置する車両が送信する場合を例に説明する。なお、図には緯度経度１／１０秒（約３ｍ）のグリッドも示されている。起点交差点Ｓおよび終点交差点Ｄの絶対位置は、例えば１／１００秒精度などのより高い精度で取得することができるが、１／１０秒単位に丸める。ここでは、メッシュ内の位置は左下（西南）の格子点に丸めるというポリシーを例として採用する。したがって、始点交差点Ｓおよび終点交差点Ｄの位置は、それぞれ位置Ｓ’および位置Ｄ’に補正される。送信点Ａの絶対位置も１／１００秒の精度で取得でき、この絶対座標が送信元の位置７１に格納される。その後送信点Ａを１／１０秒精度に丸め（図９のＳ９１）、位置Ｄ’との差分を取って終点位置（相対座標）７３を算出する（Ｓ９２）。また、位置Ｓ’と位置Ｄ’の差分を取って起点位置（相対座標）７５ｂを算出する（Ｓ９３）。また、現在時刻を１５秒精度に丸め（Ｓ９４）、交通情報の生成時刻（絶対時刻）４４との差分を取って、経過時間７５ａを算出する。このようにして、送信パケットを作成することができる。
【００５６】
・パケット受信時処理手順
次に、送信パケットを受信した車両が、受信した情報を基に交通情報蓄積部２０４に格納するデータを作成する手順を図１０を参照して説明する。パケットを受信した車両は、送信元の位置７１に含まれる絶対位置（１／１００秒精度）を、１／１０秒精度に丸める（図１０のＳ１０１）。そして、終点位置７３（相対座標）を１／１０秒精度に丸めた送信元位置を足し合わせる（Ｓ１０２）ことで、終点位置４２の絶対座標を１／１０秒精度で求めることができる。また、終点交差点の絶対座標（１／１０秒精度）に、起点位置７５ｂを足し合わせることで（Ｓ１０３）、起点位置４１の絶対座標を１／１０秒精度で求めることができる。また、パケットを受信した時刻（送信した時刻と同一視できる）を１５秒精度に丸め（Ｓ１０４）、経過時間７５ａを引くことで（Ｓ１０５）、その交通情報の生成時刻４４を求めることができる。このようにして、受信したパケットから交通情報蓄積部２０４を更新することができる。
【００５７】
[処理フロー]
本実施形態において車両が行う処理内容について説明する。図１１は、本実施形態における車両の状態遷移図を示し、図１２、図１３は各状態において行う処理のフローチャートを示す。
【００５８】
図１１に示すように、本実施形態においては、待機状態１１０２と滞留中状態１１０３が定義される。電源投入によって処理が開始されると、まず待機状態１１０２に遷移する。そして、待機状態において、滞留エリア内に停止していると判定された場合に、滞留中状態１１０３へ遷移する。滞留エリア内に停止しているか否かは、車両状態判定部２０５が、ＧＰＳ装置２０９から得られる位置情報と、車速センサ２１３から得られる車速と、地図情報２０１に定義される滞留エリアの位置とから判定できる。
【００５９】
滞留中状態１１０３において、車両が走行を開始したら、待機状態１１０２へ遷移する。この判定も車両状態判定部２０５が、車速センサ２１３から得られる車速に基づいて行う。
【００６０】
待機状態１１０２であるか滞留中状態１１０３であるかは、以下で説明するように、交通情報送信時の送信情報を選択するアルゴリズムを決定する際に用いられる。
【００６１】
次に、図１２のフローチャートに従って、本実施形態における車両の動作を説明する。まず、電源投入によってプローブカーシステムＥＣＵ２００の動作が開始されると、待機状態に遷移する。
【００６２】
待機状態において、車両の停止が検知される（Ｓ１２０２）と、自車両の位置が滞留エリア内であるか否かが判定される（Ｓ１２０４）。車両の停止は、車速センサ２１３から得られる車速がゼロになった時点として検出可能である。また、滞留エリアは交差点中心から所定距離以内の領域として定義されている。したがって、停止時の自車両の位置が滞留エリア内であるか否かは、ＧＰＳ装置２０９から得られる位置情報が、地図情報２０１に格納されている最寄りの交差点中心位置からの距離が、所定距離以内か否かによって判断できる。
【００６３】
ステップＳ１２０４において、自車両が滞留エリア内に位置しないと判定された場合（Ｓ１２０４−ＮＯ）は、待機状態を継続する。一方、自車両が滞留エリア内に位置すると判定された場合（Ｓ１２０４−ＹＥＳ）は、送信する交通情報を選択する際に滞留エリア内の交差点を終点する交通情報を優先的に送信するよう設定にする（Ｓ１２０６）。本明細書ではこのように設定することを、滞留配信を設定すると称する。具体的には、滞留配信が設定されていることを示すフラグを立てるなどする。このようにして、滞留エリア内での停止が検出されると、待機状態から滞留中状態へと遷移する。
【００６４】
滞留中状態において、車両の走行開始が検知される（Ｓ１２０８）と、滞留配信の設定を解除し（Ｓ１２１０）、待機状態へと遷移する。車両の走行開始は、車速センサ２１３から得られる車速がゼロより大きくなった時点として検出可能である。
【００６５】
図１３のフローチャートは、任意の状態においてあるイベントが検出されたときの処理を示している。
【００６６】
まず、計測境界エリアから退出することが検出された場合（Ｓ１３０２）の処理について説明する。計測境界エリアから退出したか否かは、ＧＰＳ装置２０９から得られる自車両の位置と、地図情報２０１に定義されている計測境界エリアとから判定できる。
【００６７】
計測境界エリアから退出すると、交通情報の計測を終了する（Ｓ１３０４）。本実施形態では、交差点間の平均時速を求めているので、計測境界エリアを退出した時刻を求めて、交差点間を通過するのに要した旅行時間を算出する。そして、交差点間距離（中心間距離）を旅行時間で割ることで、平均速度を算出する。
【００６８】
このようにして計測された交通情報は、蓄積情報更新部２０３によって交通情報蓄積部２０４に登録される（Ｓ１３０６）。蓄積情報更新部２０３は、上述したように計測によって得られた情報を、交通情報蓄積部２０４のデータフォーマット（図５）に応じた形式に変換する。またこの際に、交通情報蓄積部２０４の整理も併せて行う。本実施形態においては、自車両位置から緯度経度１５分（約１２ｋｍ）以内の交差点を終点とする交通情報であって、所定期間内（たとえば、２時間）に生成された情報を記憶する。したがって、この条件から外れた交通情報は交通情報蓄積部２０４から除外する。さらに、一つに交差点リンク（起点交差点と終点交差点のペア）についての交通情報数が、登録可能な上限を超える場合には、初回登録時刻４６が最も古い交通情報を削除して、新しい交通情報を追加する。
【００６９】
また、このようにして計測された交通情報は、送信キューの先頭に追加されて、即座に周囲の車両に通知されるようにする（Ｓ１３０８）。送信キューに追加された交通情報は、送信タイミングが得られたときに優先的に送信される（後述するステップＳ１３１６−Ｓ１３２４）。
【００７０】
計測境界エリアを退出すると、それまでの計測を終了すると同時に、次の計測を開始す
る（Ｓ１３１０）。本実施形態では、交差点リンク間の平均速度を計測しているので、計測境界エリアを退出した時刻を記憶しておく。
【００７１】
以上の処理が計測境界エリアを退出したときに行われる処理である。これらの処理が終了したとき車両状態の変更はなく、元の状態（待機状態または滞留中状態）を維持する。
【００７２】
次に、他の車両から交通情報を通知するパケットを受信した場合（Ｓ１３１２）の処理について説明する。受信したパケットに含まれる交通情報は、交通情報蓄積部２０４に登録される（Ｓ１３１４）。具体的には、まず、相対座標で表現されているパケット内の情報を絶対座標表現に変換する。そして、交通情報蓄積部２０４のデータフォーマット（図５）に応じた形式のデータに変換する。またこの際に、交通情報蓄積部２０４の整理もステップＳ１３０６と同様に行う。
【００７３】
次に、送信タイミングが到来した場合（Ｓ１３１６）の処理について説明する。本実施形態においてはタイミング同期式ＣＳＭＡ方式を採用しているので、１００ミリ秒に１回の送信機会が得られる。もちろん、どのようなタイミングで送信機会が得られるかは本発明では限定されない。
【００７４】
まず、送信キューに情報があるか判定する（Ｓ１３１８）。送信キューに情報がない場合（Ｓ１３１８−ＮＯ）には、送信情報選択部２０６によって交通情報蓄積部２０４の中から送信する交通情報が選択される（Ｓ１３２０）。ここでの送信情報を選択するアルゴリズムは、滞留配信の設定がされているか否かによって異なる。滞留配信の設定がなされていない場合には、情報生成時刻や情報生成場所、走行方向、他の車両から傍受した時刻、前回送信時刻、情報内容、情報数の少なくともいずれかを考慮して送信する交通情報を選択する。滞留配信の設定がされている場合には、現在属している滞留エリアに関連する交差点を終点とする交通情報をより優先的に送信するよう選択する。このようにして選択された交通情報は送信キューに格納される。
【００７５】
次に、送信キューのある交通情報から図７に示すフォーマットの送信パケットを作成する（Ｓ１３２２）。なお、送信キューにある交通情報はある１つの交差点間リンクについての交通情報であるが、この交差点間リンクと終点交差点が共通する他の交差点間リンクの情報についてもまとめて送信する。このことと、ある交差点リンク間での交通情報の計測が終わった場合にその交通情報が即座に送信されること（ステップＳ１３０８参照）を考慮すると、ある交差点を通過して時点で、その交差点を終点交差点とする交通情報が送信されることになる。したがって、車内に蓄積されている交通情報は、その終点交差点において送信されて、その交差点に停止している車両に伝達されることになる。このようにして、交通情報が終点交差点に蓄積される。
【００７６】
なお、送信パケット生成に当たっては、絶対座標で表現された交通情報蓄積部２０４内の交通情報を、相対座標表現に変換する必要がある点は上記で図９を用いて説明したとおりである。変換処理の詳細についてはここでは繰り返さない。
【００７７】
以上のようにして生成したパケットを送信（Ｓ１３２４）した後は、元の状態（待機状態または滞留中状態）に戻る。
【００７８】
[動作例]
以下、本実施形態において、交差点に交通情報が集約されること、および、集約された交通情報が周囲の車両に伝播することを、動作例に基づいて説明する。
【００７９】
図１４は、車両が交差点間の交通情報を計測する動作を説明する図である。図に示す状
況は、交差点３１，３２間の道路を車両１０が走行している状況である。また、交差点３１には車両１１，１２，１３が停止しており、交差点３２には車両１４，１５，１６が停止している。なお、全ての車両が車車間通信機能を装備している必要がないことを示すために、車車間通信機能を有しない車両２１〜２６も示している。
【００８０】
車両１０は、交差点３１の計測境界エリア３１ａを退出する時点で交通情報（リンク間に平均速度）の計測を開始する。車両１０は、計測しながら走行を続け、やがて交差点３２の計測境界エリア３２ａを通過する。この時点で、交通情報計測部２０２ａは、交差点３１・交差点３２間の交通情報の計測を終了する。
【００８１】
車両１０は交差点３２を通過して計測を終了すると、計測した交通情報を周囲に送信する。この際、交通情報蓄積部２４に格納されている、交差点３２を終点交差点とする交通情報も合わせて送信する。したがって、交差点３２の交通情報が、交差点３２に停止している車両１４，１５，１６によって保持されるようになる。
【００８２】
図１５は、計測された交通情報が交差点に集約される動作を説明する図である。ここでは交差点３２に着目して説明する。上述のように車両１０が計測した交差点３１・交差点３２間の交通情報は交差点３２に停止している車両１４，１５，１６に保持される。これらの車両は、交差点３２の滞留エリアに属しているため、交差点３２を終点とするリンクの交通情報を優先的に配信している。したがって、車両４０は交差点３２を通過すると、交差点３２を終点とするリンクの交通情報を受信することになる。
【００８３】
車両４０は、交通情報蓄積部２０４に登録してある交通情報を定期的に送信しながら走行するので、対向車線を走行する車両５０に交差点３２を終点とする交通情報を配信する機会がある。車両４０から車両５０に直接送信しなくても、車両４０が交差点３１（あるいは別の交差点でも良い）に停止している車両を介して車両５０に送信することもあり得る。車両５０はその後走行を続けて、交差点３２を通過する際に、上述したように交差点３２を終点とする交通情報を送信するので、交差点３２を終点とする交通情報が交差点３２に集約されることになる。
【００８４】
［本実施形態の作用／効果］
本実施形態によれば、交差点間の交通情報が終点交差点を効率的に蓄積できる。そして、交差点を通過する車両が、その交差点に停止している車両からこれらの情報を取得できる。さらに、車両間でも交通情報を交換することから、各車両は自車両近辺のリンクに関する交通情報を取得できる。このように本実施形態よれば、ローカルの交通情報の取得を、プローブセンターや路側機などを用いずに車車間通信のみによって実現できる。特に、本実施形態ではリンク間の平均速度を計測・通知しているので、リンクの混雑度合いを把握することができ、たとえば、混雑度合いを考慮した経路探索などに用いることができる。
【００８５】
また、本実施形態においては、交通情報を送信する際に、送信パケットのフォーマットを工夫することで通信量の削減を実現している。第１に起点交差点と終点交差点の位置を表す際に、自車両位置を基準とする相対座標で表すことでデータ量を削減している。現在提案されている車車間通信規格（ＡＳＶ−４）では、自車両（送信車両）の位置は必ず格納することとされている。したがって、この情報を有効に使うことでデータ量をＡＳＶ−４のパケットフォーマットにおけるオプション領域に格納するデータ量を削減している。
【００８６】
また、１つのパケットの中で、終点交差点が共通の複数のリンクに関する交通情報をまとめて送信することによってもデータ量の削減を図っている。単純にＮ個のリンクの起点交差点と終点交差点の位置を格納すると２Ｎ個の位置情報を格納する必要が生じるが、本
実施形態によればＮ個のリンクに関する交通情報を送信する際に、Ｎ＋１の位置情報だけを格納すれば良くなる。
【００８７】
また、本実施形態では、交通情報の計測を開始・終了するタイミングを、計測境界エリアを退出する時点、すなわち交差点から退出する時点としている。これにより、交差点間の交通情報（平均速度）を計測する際に、交差点を通過する間の旅行時間も適切に反映されるようになる。
【００８８】
（第２の実施形態）
上記第１の実施形態では、計測境界エリア（交差点内部のエリア）と滞留エリア（交差点中心から所定距離以内のエリア）の２つのエリアを定義して、計測境界エリアを退出するタイミングを交通情報の計測開始／終了タイミングとしている。本実施形態では、計測境界エリアは用いずに、滞留エリアのみを用いて上記第１の実施形態とほぼ同様の効果が得られるシステムを実装する。すなわち、交通情報の計測開始／終了タイミングを滞留エリアへの進入や同エリアからの退出を基準に決定する。
【００８９】
図１６Ａは本実施形態における車両の状態遷移図を示す。本実施形態においては、待機状態１６０２、計測中状態１６０３、滞留中状態１６０４が定義される。電源投入によって処理が開始されると、まず待機状態１６０２に遷移する。そして、待機状態において滞留エリアからの退出が検出されると計測中状態１６０３に遷移する。計測中状態１６０３に遷移した時点で交通情報の計測が開始される。そして、計測中状態１６０３において、滞留エリアへの進入が検出されると、待機状態１６０２へ遷移し、交通情報の計測を終了する。すなわち、本実施形態においては、滞留エリアを含まない交差点間リンクに位置する期間が、交通情報の計測期間になる。
【００９０】
また、待機状態１６０２において、滞留エリア内に停止していると判定された場合に、滞留中状態１６０４へ遷移する。滞留中状態において、車両が走行を開始したら、待機状態１６０２へ遷移する。図１６Ｂは、交差点に定義された滞留エリア１６０５を車両が通過する場合を示す図である。図１６Ｂのうち、点Ｂは車両が滞留エリア１６０５に進入する位置、点Ｃは滞留エリア内で停止する位置、点Ｄは車両が滞留エリア１６０５から退出する位置を表す。ここで、車両が滞留エリア外である点Ａ−Ｂ間に位置する間は計測中状態である。そして、滞留エリア１６０５内を走行している点Ｂ−Ｃ間に位置する間は待機状態である。車両が点Ｃにおいて停止している間が滞留中状態である。車両が点Ｃから走行を再開し滞留エリア１６０５から退出するまでの点Ｃ−Ｄに位置する間は待機状態である。また、車両が滞留エリア１６０５から退出した点Ｄ−Ｅ間に位置する間は計測中状態である。なお、滞留エリア外では車両が停止しても計測中状態が継続する。
【００９１】
次に、本実施形態における車両動作を、図１７，図１８のフローチャートに従って説明する。基本的には第１の実施形態における処理（図１２，図１３）と同様であるため、異なる部分について主に説明する。
【００９２】
第１の実施形態と異なる点の一つは、待機状態において滞留エリアからの退出を検出した場合（Ｓ１７０２）である。本実施形態においては、滞留エリアから退出した時点から交通情報の計測を開始する（Ｓ１７０４）。
【００９３】
第１の実施形態と異なるもう一つの点は、計測中状態での処理である。計測中状態において、滞留エリアへ進入したことを検出する（Ｓ１７１２）と、計測を終了し（Ｓ１７１４）、計測した交通情報を交通情報蓄積部２０４に登録（Ｓ１７１６）するとともに、送信キューの先頭に追加する（Ｓ１７１６）。これらの処理の詳細は、第１の実施形態における境界エリア退出時の処理（図１３のステップＳ１３０２〜Ｓ１３０８）と同様であり
、計測終了後に即座に次の計測を開始しない点で異なるだけである。
【００９４】
図１８には、任意の状態において、他の車両から交通情報を通知するパケットを受信した場合の処理と、送信タイミングが到来した場合の処理が示されている。これらの処理は第１の実施形態における処理（図１３）と同様であるため、説明は省略する。
【００９５】
本実施形態においても第１の実施形態とほぼ同様の効果を得ることができる。滞留エリア内にいる期間が交通情報の計測期間に含まれないため、交差点を通過するために要する時間が計測されなくなるが、計測境界エリアを定義する必要がなくなるため実装が簡単になるという利点がある。
【００９６】
（変形例）
上述の説明では、交差点間の情報が、終点の交差点に集約される場合を例に説明したが、起点の交差点に情報が集約される場合も、同様の作用・効果が得られることは明らかであろう。この場合、１つの送信パケットには、図１９に示すように、起点交差点を共通する複数のリンクに関する交通情報がまとめて格納される。すなわち、起点交差点の位置が格納される。
【００９７】
また、上記の説明では、起点交差点や終点交差点の位置をパケット送信車両の現在位置からの相対座標で表現しているが、これは必ずしも必須ではない。通信量が増えてもかまわない状況では、起点交差点や終点交差点の位置も絶対座標で表してもかまわない。
【００９８】
交差点等の絶対座標は必ずしも緯度・経度情報によって表される必要もない。たとえば、交差点ＩＤやマップコード（株式会社デンソーの商標）などを用いて位置の絶対座標を表すこともできる。
【００９９】
上述のパケットフォーマットやデータ表現の精度などは例示に過ぎず、当業者であれば本発明の技術的思想の範囲の中で適宜変形することが容易であろう。特に、本実施形態では、ＡＳＶ−４で提案される車車間通信方式に沿った方式を用いることとしているが、この規格とは無関係に本発明を実装してもかまわない。
【０１００】
上記実施形態においては、交通情報のデータ量を抑制して送信する技術が開示されている。すなわち、交差点間の交通情報を送信する際に、送信車両の現在位置を絶対座標で表し、始点交差点および終点交差点の位置を相対座標で表すことでデータ量を抑制している。また、複数の交差点間の交通情報を送信する際に、終点（始点）を共通する複数のリンク間の交通情報をまとめて送信することでもデータ量を抑制している。これらの手法は、車両間で交通情報を共有するセンターレスプローブカーシステムとは独立して、複数の交差点間の交通情報を送信する際のデータ量削減方法として採用することができる。例えば、センター型プローブカーシステムにおいても、上記の方法によって複数の交差点間の交通情報を送信すれば、通信に必要なデータ量を抑制することができる。
【符号の説明】
【０１０１】
２００  プローブシステムＥＣＵ
２０１  地図情報
２０２  交通情報取得部
２０２ａ  交通情報計測部
２０２ｂ  交通情報受信部
２０３  蓄積情報更新部
２０４  交通情報蓄積部
２０５  車両状態判定部
２０６  送信情報選択部
２０７  車車間通信装置
２０８  通信部
【図１】
2012146034.tif 000003
【図２】
2012146034.tif 000004
【図３】
2012146034.tif 000005
【図４】
2012146034.tif 000006
【図５】
2012146034.tif 000007
【図６】
2012146034.tif 000008
【図７】
2012146034.tif 000009
【図８】
2012146034.tif 000010
【図９】
2012146034.tif 000011
【図１０】
2012146034.tif 000012
【図１１】
2012146034.tif 000013
【図１２】
2012146034.tif 000014
【図１３】
2012146034.tif 000015
【図１４】
2012146034.tif 000016
【図１５】
2012146034.tif 000017
【図１６】
2012146034.tif 000018
【図１７】
2012146034.tif 000019
【図１８】
2012146034.tif 000020
【図１９】
2012146034.tif 000021